(57)【要約】【課題】駆動源によって送水機構を駆動できない状況であっても、送水機構内部に残留した洗浄液を容易に排出することができる洗浄機を提供する。【解決手段】モータ５６によって回転駆動される回転軸５６ａ（クランクシャフト５２）と、回転軸５６ａ（クランクシャフト５２）の回転により駆動され、洗浄液を送水する送水機構５と、送水機構５によって加圧された洗浄液が吐出される噴射ノズル１１ａとを備え、さらに、回転軸５６ａ（クランクシャフト５２）を手動で回転させる操作機構６を備えている。【選択図】図４
2014064975.tif 000002
【特許請求の範囲】
【請求項１】
駆動源によって回転駆動される回転軸と、当該回転軸の回転により駆動され、洗浄液を送水する送水機構と、当該送水機構によって送られた前記洗浄液が吐出される噴射ノズルとを備えた洗浄機であって、
前記回転軸を手動で回転させる操作機構を具備することを特徴とする洗浄機。
【請求項２】
前記駆動源及び送水機構を収納する本体の壁面には、開口部が形成されており、
前記操作機構は、前記開口部に対向する位置まで延出された前記回転軸と、当該回転軸の前記開口部側の開放端に設けられた係合部とを備えていることを特徴とする請求項１記載の洗浄機。
【請求項３】
前記操作機構は、前記回転軸に取り付けられたワンウェイクラッチと、当該ワンウェイクラッチを介して前記回転軸に配設された操作部材とを備えていることを特徴とする請求項１記載の洗浄機。
【請求項４】
前記操作機構は、前記回転軸と係合して前記回転軸を手動で回転させる操作部材と、当該操作部材と前記回転軸との係合を解除させる方向に前記操作部材を付勢する付勢手段とを具備し、
前記操作部材に外力が加えられない状態では、前記付勢手段の付勢力によって前記操作部材と前記回転軸との係合が解除されることを特徴とする請求項１記載の洗浄機。
【請求項５】
前記駆動源によって前記回転軸が回転駆動されている状態では、前記操作部材と前記回転軸との係合を禁止する操作規制機構を具備することを特徴とする請求項４記載の洗浄機。
【請求項６】
前記操作部材と前記回転軸とが係合されている状態では、前記駆動源の駆動を禁止する駆動規制機構を具備することを特徴とする請求項４又は５記載の洗浄機。
【発明の詳細な説明】
【技術分野】
【０００１】
本発明は、建物の壁や屋根といった構造物の表面や自動車等の被洗浄物に対して液体を噴射して被洗浄物を洗浄する洗浄機に関するものである。
【背景技術】
【０００２】
洗浄機、例えば高圧洗浄機は、液体を加圧するための圧縮機構を備えた本体と、本体にホースを介して接続された噴射ノズルとを有している。圧縮機構によって加圧された液体はホースを介して噴射ノズルに圧送され、噴射ノズルの先端から被洗浄物に向けて噴射することにより洗浄作業を行う（例えば、特許文献１参照）。なお、高圧洗浄機から噴射される液体は水道水である場合もあれば、洗剤や研磨材などを含む液体である場合もある。本明細書では、高圧洗浄機から噴射される液体を“洗浄液”と総称する。
【０００３】
洗浄作業後、圧縮機構内部に洗浄液が残留したまま長期保管した場合、圧縮機構の腐食や、寒冷時に洗浄液が凍結・膨張し、圧縮機の破損を招く場合がある。従来は、洗浄作業後、水道ホース等を外し、圧縮機構への洗浄液の供給を止めた状態で、モータやエンジン等の駆動源によって圧縮機構を駆動させて数秒間の無負荷運転を行うことで、圧縮機構内部に残留した洗浄液を排出していた。
【先行技術文献】
【特許文献】
【０００４】
【特許文献１】特開２００６−２６３６２８号公報
【発明の概要】
【発明が解決しようとする課題】
【０００５】
しかしながら、従来技術では、モータやエンジン等の駆動源によって圧縮機構を駆動できない状況では、圧縮機構内部に残留した洗浄液を排出させることができない。例えば、電池により駆動されるコードレス高圧洗浄機においては、電池残量が無くなるとモータを駆動することができず、圧縮機構を駆動できないため、圧縮機構内部に残留した洗浄液を排出させることができなくなってしまう。
【０００６】
本発明は以上のような状況に鑑みなされたものであって、上記課題を解決し、圧縮機構内部に残留した洗浄液を容易に排出することができる洗浄機を提供することを目的とする。
【課題を解決するための手段】
【０００７】
本発明の洗浄機は、駆動源によって回転駆動される回転軸と、当該回転軸の回転により駆動され、洗浄液を送水する送水機構と、当該送水機構によって送られた前記洗浄液が吐出される噴射ノズルとを備えた洗浄機であって、前記回転軸を手動で回転させる操作機構を具備することを特徴とする。
さらに、本発明の洗浄機において、前記駆動源及び送水機構を収納する本体の壁面には、開口部が形成されており、前記操作機構は、前記開口部に対向する位置まで延出された前記回転軸と、当該回転軸の前記開口部側の開放端に設けられた係合部とで構成しても良い。
さらに、本発明の洗浄機において、前記操作機構は、前記回転軸に取り付けられたワンウェイクラッチと、当該ワンウェイクラッチを介して前記回転軸に配設された操作部材とで構成しても良い。
さらに、本発明の洗浄機において、前記操作機構は、前記回転軸と係合して前記回転軸を手動で回転させる操作部材と、当該操作部材と前記回転軸との係合を解除させる方向に前記操作部材を付勢する付勢手段とを具備し、前記操作部材に外力が加えられない状態では、前記付勢手段の付勢力によって前記操作部材と前記回転軸との係合が解除されるようにしても良い。
さらに、本発明の洗浄機において、前記駆動源によって前記回転軸が回転駆動されている状態では、前記操作部材と前記回転軸との係合を禁止する操作規制機構を具備しても良い。
さらに、本発明の洗浄機において、前記操作部材と前記回転軸とが係合されている状態では、前記駆動源の駆動を禁止する駆動規制機構を具備しても良い。
【発明の効果】
【０００８】
本発明によれば、駆動源によって送水機構を駆動できない状況であっても、操作機構を手動で操作することで、送水機構内部に残留した洗浄液を容易に排出することができるという効果を奏する。
【図面の簡単な説明】
【０００９】
【図１】本発明に係る洗浄機である高圧洗浄機の第１の実施の形態の前面側の外観斜視図である。
【図２】本発明に係る洗浄機である高圧洗浄機の第１の実施の形態の背面側の外観斜視図である。
【図３】本発明に係る洗浄機である高圧洗浄機の第１の実施の形態の側断面図である。
【図４】図３に示すＡ−Ａ部分断面図である。
【図５】本発明に係る洗浄機である高圧洗浄機の第２の実施の形態の部分断面図である。
【図６】本発明に係る洗浄機である高圧洗浄機の第３の実施の形態における操作機構の構成を示す部分断面図である。
【図７】本発明に係る洗浄機である高圧洗浄機の第４の実施の形態における操作機構の構成を示す部分断面図である。
【発明を実施するための形態】
【００１０】
（第１の実施の形態）
次に、本発明の第１の実施の形態を、図１乃至図４を参照して具体的に説明する。
第１の実施の形態の洗浄機である高圧洗浄機は、図１及び図２を参照すると、本体１と、本体１の上に設けられたタンク収納部２とを有し、全体として略直方体形の外観を呈している。
【００１１】
本体１の前面１ａには、メインスイッチ１０と、一端が洗浄ガン１１に接続された耐圧ホース１２の他端が接続される吐出口１３とが設けられている。メインスイッチ１０が操作されると、加圧された洗浄液が吐出口１３から吐出され、耐圧ホース１２を介して洗浄ガン１１に圧送される。洗浄ガン１１に圧送された洗浄液は、洗浄ガン１１の先端に設けられている噴射ノズル１１ａから不図示の被洗浄物に対して噴射される。
【００１２】
タンク収納部２は、略角筒状の形状を有し、その下端面が本体１の上端面に突き合わされるようにして本体１の上に重ねられている。図３に示されるように、タンク収納部２の下端には、その下端面よりも下方に突出するリブ２０が全周に亘って設けられており、このリブ２０が本体１の内側に嵌め込まれることにより、タンク収納部２が本体１に対して位置決めされる。なお、タンク収納部２のリブ２０が本体１の内側に嵌め込まれると、本体１の外面とタンク収納部２の外面とは略面一になる。
【００１３】
本体１の前面１ａ及び背面１ｂのそれぞれ上部には、係止部１４が、タンク収納部２の前面２ａ及び背面２ｂのそれぞれ下部には、バックル２１がそれぞれ設けられている。係止部１４は、バックル２１によって係止可能な位置に設けられており、それぞれのバックル２１を対応する係止部１４に係止させると、本体１とタンク収納部２とが連結されて一体化される。一方、バックル２１の係止部１４への係止を解除すると、本体１とタンク収納部２との連結も解除され、本体１とタンク収納部２とを分離させることが可能となる。
【００１４】
タンク収納部２の上端には、把手３ａが一体成形された蓋３が回動可能に設けられている。蓋３の背面はヒンジ３０によってタンク収納部２の背面２ｂの上部に回動可能に取り付けられている。蓋３の前面には、係止部３１が、タンク収納部２の前面２ａの上部には、バックル２２がそれぞれ設けられている。係止部３１は、バックル２２によって係止可能な位置に設けられており、バックル２２を対応する係止部３１に係止させると、蓋３がタンク収納部２に固定され、タンク収納部２の上方開口部が閉塞される。一方、バックル２２の係止部３１への係止を解除すると、蓋３のタンク収納部２への固定も解除され、蓋３を回動させてタンク収納部２の上方開口部を開放させることが可能となる。
【００１５】
要するに、第１の実施の形態の高圧洗浄機では、本体１の上に蓋付きのタンク収納部２が設けられており、タンク収納部２の内側には、洗浄液を貯留するためのタンク４が収納される。タンク４は、蓋３を回動させてタンク収納部２の上方開口部を開放させることにより、上方開口部を通してタンク収納部２に出し入れ可能である。タンク４の底面には、外周面に雄ネジが形成された注入口が一体成形されている。注入口には、内周面に雌ネジが形成されたキャップ４０が嵌められており、キャップ４０の中央には、逆止弁４１が設けられている。逆止弁４１は、弁棒４１ａと、弁体４１ｂと、弁座４１ｃとで構成されている。タンク４がタンク収納部２に収納されると、本体１から突出しているノズル１５により逆止弁４１が押し上げられる。具体的には、ノズル１５の先端によって弁棒４１ａが押し上げられることにより、弁体４１ｂが上昇し、弁体４１ｂと弁座４１ｃとの間に隙間が生まれる。すると、弁体４１ｂと弁座４１ｃとの間の隙間を介してタンク４と本体１とが連通し、タンク４に貯留されている洗浄液が本体１に供給される。図示は省略するが、逆止弁４１には、弁体４１ｂを弁座４１ｃに押し付けるバネが設けられている。よって、タンク４がタンク収納部２から引き上げられると、弁体４１ｂが自動的に弁座４１ｃに密着し、上記隙間が塞がれる。
【００１６】
タンク収納部２の左側面２ｃには、縦長の窓２３が設けられており、窓２３を通して収納されたタンク４の壁面を視認することができるようになっている。従って、タンク４を透明又は半透明の素材で構成することで、窓２３を通して貯留されている洗浄液の残量（液面）を確認することができる。
【００１７】
図４を参照すると、本体１には、タンク４から供給される洗浄液を加圧（送水）する圧縮機構５（送水機構）と、圧縮機構５を駆動する駆動源としてのモータ５６と、モータ５６に電力を供給する二次電池としてのリチウムイオン電池５７が設けられている。圧縮機構５は、タンク４から供給される洗浄液を加圧するプランジャ５０が往復動可能に収容されたシリンダ５１と、クランクシャフト５２とを備えている。モータ５６の回転運動は、クランクシャフト５２によって往復運動に変換され、プランジャ５０に伝達される。すなわち、プランジャ５０は、モータ５６によって駆動され、シリンダ５１内で往復運動を繰り返す。
【００１８】
シリンダ５１の先端部には、図３を参照すると、洗浄液が送り込まれる流入口５１ａと、洗浄液が送り出される流出口５１ｂとが設けられており、流入口５１ａ及び流出口５１ｂには一方向弁５３がそれぞれ配置されている。また、本体１の内部には、タンク４から供給される洗浄液をシリンダ５１の流入口５１ａに導くための流路５４と、シリンダ５１の流出口５１ｂから流出された洗浄液を吐出口１３に導くための流路５５とが設けられている。
【００１９】
次に、第１の実施の形態の高圧洗浄機の動作について説明する。シリンダ５１内でプランジャ５０が後退すると、シリンダ５１内の圧力が低下し、流入口５１ａに配置されている一方向弁５３が開かれる一方、流出口５１ｂに配置されている一方向弁５３は閉じられ、流入口５１ａを通して洗浄液がシリンダ５１内に流入する。次いで、プランジャ５０が前進に転じると、洗浄液が加圧され、洗浄液の圧力（シリンダ５１内の圧力）が上昇する。その後、洗浄液の圧力が規定値を超えると、シリンダ５１の流出口５１ｂに配置されている一方向弁５３が開かれる一方、流入口５１ａに配置されている一方向弁５３は閉じられ、加圧された洗浄液が流出口５１ｂから流路５５へ流出する。その後、流路５５へ流出した洗浄液は、図１に示される耐圧ホース１２を介して洗浄ガン１１へ供給され、噴射ノズル１１ａより吐出される。次いで、プランジャ５０がシリンダ５１内で再び後退に転じると、流入口５１ａを通して洗浄液がシリンダ５１内に流入する。以後、上記動作が繰り返され、断続的に洗浄液が吐出される。
【００２０】
図４を参照すると、本体１の右側面１ｄには、モータ５６を手動で回転させる操作機構６に対向して、開口部１６が形成されている。開口部１６には、図２に示すように、キャップ１７が取り付け可能に構成されており、キャップ１７を外すことで、開口部１６が開放される。第１の実施の形態では、操作機構６として、モータ５６の回転軸５６ａが開口部１６に対向する位置まで延出されていると共に、回転軸５６ａの開口部１６側の開放端には、溝状の係合部５６ｂが形成されている。キャップ１７を外し、開口部１６を開放させることで、操作機構６を操作することが可能になる。そして、開口部１６から図示せぬ操作工具（専用工具やドライバ等の汎用工具、電動工具）を挿通し、係合部５６ｂに係合させることで、手動でモータ５６を回転させることができる。これにより、リチウムイオン電池５７の電池残量がない場合であっても、モータ５６の回転軸５６ａを手動で回転させることができ、容易に圧縮機構５の内部に残留した洗浄液を排出させることができる。なお、係合部５６ｂの形状は、使用する図示せぬ操作工具に応じて、適宜設定することができ、回転軸５６ａと係合部５６ｂとを別部材として、係合部５６ｂを回転軸５６ａに取り付ける構成を採用することもできる。
【００２１】
（第２の実施の形態）
次に、第２の実施の形態の洗浄機である高圧洗浄機について、図５に基づいて詳細に説明する。尚、第１の実施の形態と同様の箇所は省略し、異なる部分についてのみ説明する。
第２の実施の形態の高圧洗浄機において、図５を参照すると、本体１の左側面１ｃには、クランクシャフト５２を手動で回転させる操作機構７に対向して、開口部１８が形成されている。開口部１８には、キャップ１７が取り付け可能に構成されており、キャップ１７を外すことで、開口部１８が開放される。第２の実施の形態では、操作機構７として、クランクシャフト５２が開口部１８に対向する位置まで延出されていると共に、クランクシャフト５２の開口部１８側の開放端には、溝状の係合部５２ａが形成されている。キャップ１７を外し、開口部１８を開放させることで、操作機構７を操作することが可能になる。そして、開口部１８から図示せぬ操作工具（専用工具やドライバ等の汎用工具）を挿通し、係合部５２ａに係合させることで、手動でクランクシャフト５２を回転させることができる。これにより、リチウムイオン電池５７の電池残量がない場合であっても、クランクシャフト５２を手動で回転させることができ、容易に圧縮機構５の内部に残留した洗浄液を排出させることができる。
【００２２】
（第３の実施の形態）
次に、第３の実施の形態の洗浄機である高圧洗浄機について、図６に基づいて詳細に説明する。尚、第１及び第２の実施の形態と同様の箇所は省略し、異なる部分についてのみ説明する。
第３の実施の形態の高圧洗浄機では、モータ５６の回転軸５６ａを手動で回転させる操作機構８が設けられている。操作機構８は、図６を参照すると、モータ５６の回転軸５６ａの一端に取り付けられたワンウェイクラッチ８１と、ワンウェイクラッチ８１を介して配設された操作部材８２とを備えている。一方向にのみ回動可能なワンウェイクラッチ８１の作用により、洗浄作業時は、モータ５６の回転軸５６ａと操作部材８２の間は空転する。換言すると、洗浄作業時におけるモータ５６の回転軸５６ａの回転方向では、空転する向きにワンウェイクラッチ８１が取り付けられている。従って、洗浄作業時には、モータ５６の回転軸５６ａは回転するが操作部材８２は停止している。圧縮機構５の内部に残留した洗浄液を排出させる際は、ワンウェイクラッチ８１が固定される方向に操作部材８２を回転させることにより、手動にてモータ５６の回転軸５６ａを回転させ、プランジャ５０を駆動することが可能となる。さらに、本体１のハウジングと操作部材の間にＯリング８３を配置することにより、洗浄作業時の操作部材８２の供回りを防止することが可能となる。なお、第３の実施の形態の操作機構８によって、第２の実施の形態と同様にクランクシャフト５２を手動で回転させるように構成しても良い。
【００２３】
（第４の実施の形態）
次に、第４の実施の形態の洗浄機である高圧洗浄機について、図７に基づいて詳細に説明する。尚、第１乃至第３の実施の形態と同様の箇所は省略し、異なる部分についてのみ説明する。
第４の実施の形態の高圧洗浄機では、モータ５６の回転軸５６ａもしくはクランクシャフト５２を手動で回転させる操作機構９が設けられている。操作機構９は、図７を参照すると、操作部材９１と、バネ９２とを備えている。操作部材９１は、モータ５６の回転軸５６ａの係合部５６ｂと係合する係合部９１ａを備えている。バネ９２は、モータ５６の回転軸５６ａから遠ざかる方向、すなわち回転軸５６ａの係合部５６ｂと操作部材９１の係合部９１ａとの係合が解除される方向に操作部材９１を付勢する付勢手段である。
【００２４】
操作部材９１に対して外力を加えない状態では、バネ９２によって、モータ５６の回転軸５６ａから遠ざかる方向に操作部材９１が付勢され、図７（ａ）に示すように、回転軸５６ａの係合部５６ｂと操作部材９１の係合部９１ａとの係合が解除された解除状態となる。この解除状態では、回転軸５６ａが回転しても、操作部材９１が供回りすることがない。
【００２５】
図７に示す符号９３は、操作部材９１の操作を規制する操作規制機構であり、例えば、プランジャを矢印Ｘに示す方向に伸退させるソレノイドで構成される。モータ５６が駆動されている状態では、操作規制機構９３にも通電され、操作規制機構９３は、図７（ａ）に示すように、プランジャを伸長させ、操作部材９１の矢印Ｚで示す方向への移動、すなわち回転軸５６ａの係合部５６ｂと操作部材９１の係合部９１ａとの係合を禁止する。これにより、モータ５６の駆動中における回転軸５６ａの係合部５６ｂと操作部材９１の係合部９１ａとの係合を防止することができる。
【００２６】
モータ５６が駆動されていない状態では、操作規制機構９３への通電も停止され、操作規制機構９３は、図７（ｂ）に示すように、プランジャを縮退させ、操作部材９１の矢印Ｚで示す方向への移動禁止を解除させる。操作部材９１に対して外力を加え、バネ９２に抗して操作部材９１を矢印Ｚで示す方向に移動させることで、回転軸５６ａの係合部５６ｂと操作部材９１の係合部９１ａとを係合させることができる。これにより、圧縮機構５の内部に残留した洗浄液を排出させる際は、操作部材９１を回転させることにより、手動にてモータ５６の回転軸５６ａを回転させ、プランジャ５０を駆動することが可能となる。
【００２７】
図７に示す符号９４は、モータ５６の駆動を規制するモータ駆動規制機構である。モータ駆動規制機構９４は、図７（ｂ）に示すように、操作部材９１を矢印Ｚで示す方向に移動され、回転軸５６ａの係合部５６ｂと操作部材９１の係合部９１ａとが係合された状態でオンされる。モータ駆動規制機構９４がオンされると、モータ５６の駆動が禁止される。すなわち、モータ５６への通電が停止され、メインスイッチ１０が操作されてもモータ５６が駆動されない状態となる。これにより、操作部材９１の操作中にモータ５６が駆動されることを確実に防止することができる。なお、第４の実施の形態の操作機構９によって、第２の実施の形態と同様にクランクシャフト５２を手動で回転させるように構成しても良い。
【００２８】
以上説明したように、本実施の形態は、モータ５６によって回転駆動される回転軸５６ａ（クランクシャフト５２）と、回転軸５６ａ（クランクシャフト５２）の回転により駆動され、洗浄液を加圧（送水）する圧縮機構５（送水機構）と、圧縮機構５によって加圧された（送られた）洗浄液が吐出される噴射ノズル１１ａとを備え、さらに、回転軸５６ａ（クランクシャフト５２）を手動で回転させる操作機構６〜９を備えている。この構成により、モータ５６によって圧縮機構５を駆動できない状況であっても、操作機構６〜９を手動で操作することで、圧縮機構５内部に残留した洗浄液を容易に排出することができる。なお、モータ５６の回転軸５６ａに操作機構６〜９を設けることにより、軽い操作力にて洗浄液の排出が可能となる。一方、クランクシャフト５２に操作機構６〜９を設けることにより、少ない回転数にて洗浄液の排出が可能となり、製品仕様に応じて適宜選択可能となる。
【００２９】
さらに、本実施の形態において、モータ５６及び圧縮機構５を収納する本体１の右側面１ｄには、開口部１６が形成されており、操作機構６、７は、開口部１６に対向する位置まで延出された回転軸５６ａ（クランクシャフト５２）と、回転軸５６ａ（クランクシャフト５２）の開口部１６側の開放端に設けられた係合部５６ｂ（係合部５２ａ）とを備えている。この構成により、簡便且つ安価な操作機構６を得ることが可能となる。
【００３０】
さらに、本実施の形態において、操作機構８は、回転軸５６ａ（クランクシャフト５２）に取り付けられたワンウェイクラッチ８１と、ワンウェイクラッチ８１を介して回転軸５６ａ（クランクシャフト５２）に配設された操作部材８２とを備えている。この構成により、回転軸５６（クランクシャフト５２）の回転駆動に追随した操作部材８２の回転を防止できるため、操作部材８２を本体１に設けることができ、洗浄液の排出作業を容易にすることが可能となる。
【００３１】
さらに、本実施の形態において、操作機構９は、回転軸５６ａ（クランクシャフト５２）と係合して回転軸５６ａ（クランクシャフト５２）を手動で回転させる操作部材９１と、操作部材９１と回転軸５６ａ（クランクシャフト５２）との係合を解除させる方向に操作部材９１を付勢するバネ９２とを備え、操作部材９１に外力が加えられない状態では、バネ９２の付勢力によって操作部材９１と回転軸５６ａ（クランクシャフト５２）との係合が解除されるように構成されている。この構成により、回転軸５６（クランクシャフト５２）の回転駆動に追随した操作部材９１の回転を防止できるため、操作機構９が本体１と一体となり、洗浄液の排出作業を容易にすることが可能となる。
【００３２】
さらに、本実施の形態において、モータ５６によって回転軸５６ａ（クランクシャフト５２）が回転駆動されている状態では、操作部材９１と回転軸５６ａ（クランクシャフト５２）との係合を禁止する操作規制機構９３を備えている。この構成により、モータ５６の駆動中における回転軸５６ａの係合部５６ｂと操作部材９１の係合部９１ａとの係合を防止することができる。
【００３３】
さらに、本実施の形態において、操作部材９１と回転軸５６ａ（クランクシャフト５２）とが係合されている状態では、モータ５６の駆動を禁止する駆動規制機構９４を備えている。この構成により、操作部材９１の操作中にモータ５６が駆動されることを確実に防止することができる。
【００３４】
本発明は上述の実施の形態に限定されるものではなく、その要旨を逸脱しない範囲で種々変更可能である。例えば、上述の実施の形態の高圧洗浄機は、電動モータに電力を供給する二次電池を備えた携帯型（ポータブル）であったが、ＡＣ電源により給電するように構成しても良い。さらに、二次電池がリチウムイオン電池以外の電池を用いても良い。或いは、駆動源としてエンジンを用いても良く、エンジン駆動とした場合でも、燃料が無くなった後も残留した洗浄液を排出可能である。また、タンクが本体に固定されている実施形態や水道の蛇口から直に洗浄液の供給を受けられるように構成された実施の形態も考えられる。また、洗浄ガンの先端に様々なタイプの噴射ノズルを装着可能な実施の形態もある。また、上述の実施の形態では高圧洗浄機を例に説明したが、洗浄液を加圧しない洗浄機（水道圧程度の吐出圧力）であっても良い。また、上述の実施の形態での手動とは、洗浄機の外部から回転軸５６ａ（クランクシャフト５２）を回転させることであり、手工具だけでなく電動工具（例えばドライバドリル）を用いることも含まれる。
【００３５】
以上、本発明を実施の形態をもとに説明した。本実施の形態は例示であり、それらの各構成要素の組み合わせ等にいろいろな変形例が可能なこと、またそうした変形例も本発明の範囲にあることは当業者に理解されるところである。
【符号の説明】
【００３６】
１  本体
１ａ  前面
１ｂ  背面
１ｃ  左側面
１ｄ  右側面
２  タンク収納部
２ａ  前面
２ｂ  背面
２ｃ  左側面
３  蓋
３ａ  把手
４  タンク
５  圧縮機構
６  操作機構（第１の実施の形態）
７  操作機構（第２の実施の形態）
８  操作機構（第３の実施の形態）
９  操作機構（第４の実施の形態）
１０  メインスイッチ
１１  洗浄ガン
１１a  噴射ノズル
１２  耐圧ホース
１３  吐出口
１４  係止部
１５  ノズル
１６  開口部（第１の実施の形態）
１７  キャップ
１８  開口部（第２の実施の形態）
２０  リブ
２１、２２  バックル
２３  窓
３０  ヒンジ
３１  係止部
４０  キャップ
４１  逆止弁
４１ａ  弁棒
４１ｂ弁体
４１ｃ弁座
５０  プランジャ
５１  シリンダ
５１ａ  流入口
５１ｂ  流出口
５２  クランクシャフト
５２ａ  係合部
５３  一方向弁
５４、５５  流路
５６  モータ
５６ａ  回転軸
５６ｂ  係合部
５７  リチウムイオン電池
８１  ワンウェイクラッチ
８２  操作部材
８３  Ｏリング
９１  操作部材
９１ａ  係合部
９２  バネ
９３  操作規制機構
９４  モータ駆動規制機構
【図１】
2014064975.tif 000003
【図２】
2014064975.tif 000004
【図３】
2014064975.tif 000005
【図４】
2014064975.tif 000006
【図５】
2014064975.tif 000007
【図６】
2014064975.tif 000008
【図７】
2014064975.tif 000009